(57)【要約】【課題】例えば放射性廃棄物などの廃棄物を処分するための坑道に用いて好適な坑道の支保構造を提供する。【解決手段】地山Ｇの掘削面Ｇ１に沿って設けられて地山Ｇを支える坑道２の支保構造１０であって、坑道２の軸線Ｏ１方向に間隔をあけて且つ掘削面Ｇ１との間に隙間Ｈをあけて並設した複数の鋼製支保部材１１と、隙間Ｈに鋼製支保部材１１と掘削面Ｇ１を繋ぐように介装された介装部材１２と、掘削面Ｇ１との間に隙間Ｈをあけて隣り合う鋼製支保部材１１の間に設けられた鋼製矢板１３と、鋼製支保部材１１及び鋼製矢板１３と掘削面Ｇ１との隙間Ｈに充填された粘土系材料の充填材１４とを備える。【選択図】図１
2008127793.tif 000002
【特許請求の範囲】
【請求項１】
地山の掘削面に沿って設けられて前記地山を支える坑道の支保構造であって、
前記坑道の軸線方向に間隔をあけて且つ前記掘削面との間に隙間をあけて並設した複数の鋼製支保部材と、前記隙間に前記鋼製支保部材と前記掘削面を繋ぐように介装された介装部材と、前記掘削面との間に隙間をあけて隣り合う前記鋼製支保部材の間に設けられた鋼製矢板と、前記鋼製支保部材及び前記鋼製矢板と前記掘削面との前記隙間に充填された粘土系材料の充填材とを備えることを特徴とする坑道の支保構造。
【請求項２】
請求項１記載の坑道の支保構造において、
前記粘土系材料がベントナイト系材料であることを特徴とする坑道の支保構造。
【請求項３】
請求項１または請求項２に記載の坑道の支保構造において、
前記隣り合う鋼製支保部材に連架した腹起しと、該腹起しに一端側が支持されて前記地山内に延設したロックボルトを備えることを特徴とする坑道の支保構造。
【請求項４】
請求項３記載の坑道の支保構造において、
前記ロックボルトが摩擦定着型のロックボルトであることを特徴とする坑道の支保構造。
【請求項５】
請求項４記載の坑道の支保構造において、
前記ロックボルトが、膨張可能に形成された鋼管と、該鋼管の中空部に充填した粘土系材料を備えることを特徴とする坑道の支保構造。
【発明の詳細な説明】
【技術分野】
【０００１】
本発明は、坑道の支保構造に関し、特に、例えば放射性廃棄物などの廃棄物を埋設処分するための坑道に用いて好適な支保構造に関する。
【背景技術】
【０００２】
例えば地下３００ｍを超える地下深部に高レベルの放射性廃棄物を埋設処分することが検討されている。この際、放射性廃棄物は、例えばガラスと混ぜて固化され、このガラス固化体を炭素鋼などからなるオーバーパックで密閉して廃棄体を形成した状態で処分される。そして、この廃棄体が、図５に示すように、地下深部の硬質岩や堆積軟岩の比較的安定した地山Ｇ内に、略環状に繋がる主要坑道１と、この主要坑道１と繋がるように形成した処分坑道（坑道）や処分孔（以下、処分坑道２という）からなる廃棄物埋設処分施設Ａを構築し、この廃棄物埋設処分施設Ａの処分坑道２内に処分される（例えば、特許文献１参照）。また、廃棄体を処分する処分坑道２には、例えば硬質岩の地山Ｇ内に形成される場合に、図６に示すように、支保構造３が、地山Ｇを掘削した後に吹付けコンクリート３ａとインバートコンクリート（路盤コンクリート）３ｂなどによって形成され、且つセメント系材料を用いて定着させるロックボルト３ｃを地山Ｇ内に設置して、地山Ｇの処分坑道２内への崩落を防止するように形成される。
【０００３】
また、廃棄体を処分した処分坑道２は、そのままにしておくと処分坑道２そのものが、地下水の卓越した水みちを形成するおそれがあり、処分施設Ａ全体としてのバリア性能を低下させるおそれがある。このため、図７に示すように、ガラス固化体４ａをオーバーパック４ｂで密閉した廃棄体４を包むようにして、地山Ｇと同等以上の低透水性の材料（緩衝材）５で処分坑道２を埋め戻す（処分坑道２を閉鎖する）ことが考えられている。そして、この種の緩衝材５には、膨潤性や放射性物質の吸着性に優れるベントナイトやベントナイト混合材が用いられ、地山Ｇから処分坑道２に浸入した地下水が接触するとともに膨潤して地山Ｇを押圧することによりさらなる地下水の浸入を防止したり、膨潤に伴い緩衝材５の透水係数が低下することで地下水の浸透を防止する。これにより、高レベルの放射性廃棄物を確実に外部の自然環境から隔離して処分することが可能になる。
【０００４】
しかしながら、上記のように、廃棄物埋設処分施設Ａの坑道２の支保構造３に吹付けコンクリートやインバートコンクリートなどのセメント系材料を用いた場合には、地下水が接触した際に、セメントからＣａ（カルシウム）や高アルカリ成分が溶出し、処分坑道２の周辺が高アルカリ環境になる可能性がある。そして、処分坑道２が高アルカリ環境により劣化するおそれと、Ｃａイオンによって緩衝材５が劣化するおそれが生じる。すなわち、緩衝材５には、膨潤性に優れるという点でＮａ（ナトリウム）型ベントナイトが多用されるが、このＮａ型ベントナイトは、Ｃａイオンと接触するとＮａとＣａのイオン交換がなされ、膨潤性に劣るＣａ型ベントナイトに変質してしまう。このため、緩衝材５の膨潤性が乏しくなり地下水の遮蔽能力ひいては放射性物質（有害物質）の遮蔽能力の低下を招くおそれが生じる。
【０００５】
また、支保構造３に吹付けコンクリートやインバートコンクリートを用いた場合には、経年劣化によって支保構造３そのものの遮水性が低下し（透水性が増大し）、有害物質の漏出経路Ｔになるおそれがある。さらに、経年劣化とともに支保構造３と地山Ｇの掘削面Ｇ１の間に隙間が生じて、この隙間が有害物質の漏出経路Ｔになるおそれもある。そして、このような漏出経路Ｔを通じて漏出した有害物質が、地山Ｇを通じて地表に拡散し、特に地山Ｇに処分施設Ａを横断する破砕帯などの高透水層が存在するような場合には早期に地表に達し、重大事故を招くおそれさえある。
【０００６】
これに対し、例えば特許文献２に開示されるような坑道の支保構造がある。この坑道の支保構造は、繋ぎ材にて前後が他の鋼製支保工（鋼製支保部材）に連結される一の鋼製支保工と、この鋼製支保工の外側曲面に中央部分が接合され、鋼製支保工の前後に係る地山を支える帯板と、この帯板と地山との間の空隙部分（隙間）に充填される豆砂利の充填材とで構成されている。この坑道の支保構造においては、セメント系材料を用いずに地山を支える構成であるため、廃棄物埋設処分施設の処分坑道に適用した場合に、上記のセメントからのＣａや高アルカリ成分の溶出に起因した緩衝材の劣化を招くおそれがない。
【特許文献１】特開２００２−２５０７９５号公報
【特許文献２】特開平１１−４４１９０号公報
【発明の開示】
【発明が解決しようとする課題】
【０００７】
しかしながら、上記の特許文献２に開示されるような坑道の支保構造においては、充填材に豆砂利を用いているため、鋼製支保工及び帯板と地山との間の隙間に地下水が容易に浸透してしまう。このため、廃棄物埋設処分施設の処分坑道に適用した場合に、この隙間部分が有害物質の漏出経路になってしまう。
【０００８】
本発明は、上記事情を鑑み、例えば放射性廃棄物などの廃棄物を処分するための坑道に用いて好適な坑道の支保構造を提供することを目的とする。
【課題を解決するための手段】
【０００９】
上記の目的を達するために、この発明は以下の手段を提供している。
【００１０】
本発明の坑道の支保構造は、地山の掘削面に沿って設けられて前記地山を支える坑道の支保構造であって、前記坑道の軸線方向に間隔をあけて且つ前記掘削面との間に隙間をあけて並設した複数の鋼製支保部材と、前記隙間に前記鋼製支保部材と前記掘削面を繋ぐように介装された介装部材と、前記掘削面との間に隙間をあけて隣り合う前記鋼製支保部材の間に設けられた鋼製矢板と、前記鋼製支保部材及び前記鋼製矢板と前記掘削面との前記隙間に充填された粘土系材料の充填材とを備えることを特徴とする。
【００１１】
この発明においては、鋼製支保部材及び鋼製矢板と地山の掘削面の隙間に粘土系材料を充填するため、この隙間部分の遮水性を高めることができ、地山から坑道内に侵入しようとする地下水を確実に遮断することができる。また、このように鋼製支保部材及び鋼製矢板を地山の掘削面から離して設けた場合においても、介装部材を介して鋼製支保部材で地山を支えることができる。また、セメント系材料を使用していないため、坑道の周辺が高アルカリ環境になることを防止できる。
【００１２】
また、本発明の坑道の支保構造においては、前記粘土系材料がベントナイト系材料であることが望ましい。
【００１３】
この発明においては、地下水が接触するとともにベントナイト系材料が膨潤し、確実に鋼製支保部材及び鋼製矢板と地山の掘削面の隙間部分の遮水性を高めることができる。
【００１４】
さらに、本発明の坑道の支保構造においては、前記隣り合う鋼製支保部材に連架した腹起しと、該腹起しに一端側が支持されて前記地山内に延設したロックボルトを備えることがより望ましい。
【００１５】
この発明においては、鋼製支保部材及び鋼製矢板と地山の掘削面の隙間に粘土系材料の充填材、特にベントナイト系材料を充填した場合に、地下水が接触して膨潤した際に生じる膨潤圧を腹起しとロックボルトを介して地山で支持することが可能になる。これにより、充填材で遮水性を確保するようにした場合においても、膨潤圧によって鋼製支保部材に変形が生じることを確実に防止でき、地山を確実に安定して支える支保構造にすることができる。
【００１６】
また、本発明の坑道の支保構造においては、前記ロックボルトが摩擦定着型のロックボルトであることがさらに望ましい。
【００１７】
この発明においては、ロックボルトが摩擦定着して地山を支持するものであるため、すなわちロックボルトの定着にセメント系材料を使用する必要がないため、確実に周辺が高アルカリ環境になることを防止できる。
【００１８】
さらに、本発明の坑道の支保構造においては、前記ロックボルトが、膨張可能に形成された鋼管と、該鋼管の中空部に充填した粘土系材料を備えることが望ましい。
【００１９】
この発明においては、地山に穿設した削孔に鋼管を建て込み、鋼管を膨張させて地山に摩擦定着させた後に、中空部に粘土系材料をグラウトする。これにより、セメント系材料を用いることなく確実に地山を支えることができる。
【発明の効果】
【００２０】
本発明の坑道の支保構造によれば、地山を確実に支えることができるとともに、地山からの地下水の侵入を防止でき、また周辺が高アルカリ環境になることを防止できる。これにより、廃棄物埋設処分施設の坑道に適用した場合に、緩衝材の劣化を防止することができ、且つ粘土系材料の充填材によって鋼製支保部材及び鋼製矢板と地山の掘削面の隙間部分が有害物質の漏出経路になることを防止でき、長期にわたって安定した状態で確実に廃棄物を埋設処分することが可能になる。
【発明を実施するための最良の形態】
【００２１】
以下、図１から図４を参照し、本発明の一実施形態に係る坑道の支保構造について説明する。本実施形態は、例えば図５に示した高レベルの放射性廃棄物を地下深部に埋設処分するための廃棄物埋設処分施設Ａが備える処分坑道（坑道）２の支保構造に関するものである。
【００２２】
本実施形態の坑道の支保構造１０は、図１から図３に示すように、地山Ｇの掘削面Ｇ１に沿って逆Ｕ字状に形成され、坑道２の軸線Ｏ１方向に間隔をあけて且つ掘削面Ｇ１との間に隙間Ｈをあけて並設した複数の鋼製支保部材１１と、隙間Ｈに鋼製支保部材１１と掘削面Ｇ１（地山Ｇ）を繋ぐように介装されたくさび部材（介装部材）１２と、掘削面Ｇ１との間に隙間Ｈをあけて隣り合う鋼製支保部材１１の間に設けられた鋼製矢板１３と、鋼製支保部材１１及び鋼製矢板１３と掘削面Ｇ１との隙間Ｈに充填された粘土系材料の充填材１４とを備えて構成されている。
【００２３】
鋼製支保部材１１は、Ｈ形鋼を逆Ｕ字状に形成したものであり、坑道２の側壁部及びアーチ部の掘削面Ｇ１に沿うように設けられている。坑道２の軸線Ｏ１方向に隣り合う鋼製支保部材１１は、図２に示すように、例えばタイロッドなどの連結部材１５で連結されている。また、各鋼製支保部材１１には、図１に示すように、掘削面Ｇ１側を向くフランジ面に、複数のくさび部材１２のそれぞれの一端が繋げられている。さらに、各鋼製支保部材１１に繋がる複数のくさび部材１２は、鋼製支保部材１１の延設方向、すなわち坑道２の周方向に所定の間隔をあけて設けられ、他端を地山Ｇの掘削面Ｇ１に当接させている。これにより、地山Ｇからの力がくさび部材１２を介して各鋼製支保部材１１に伝達されて支持される。
【００２４】
また、鋼製矢板１３は、図２に示すように、断面凹凸状の波状に形成されており、両側端を坑道２の軸線Ｏ１方向に隣り合う鋼製支保部材１１の坑道２内側のフランジ部にそれぞれ支持させて設けられている。このとき、鋼製矢板１３は、図１及び図３に示すように、隣り合う鋼製支保部材１１の間を埋めるように、坑道２の側壁部及びアーチ部に沿って設けられている。
【００２５】
本実施形態の充填材１４の粘土系材料は、ベントナイト系材料であり、例えばベントナイト粉体、顆粒状ベントナイト、あるいはベントナイト粉体及び／又は顆粒状ベントナイトと砂などを混合した材料である。
【００２６】
また、本実施形態の坑道の支保構造１０には、図１及び図３に示すように、腹起し１６とロックボルト１７が具備されている。腹起し１６は、坑道２の軸線Ｏ１方向に延設され、隣り合う鋼製支保部材１１の坑道２内側のフランジ部に繋がり隣り合う鋼製支保部材１１に連架して設けられている。また、ロックボルト１７は、腹起し１６に支持される定着板１８に一端側を繋げて地山Ｇ内に延設されている。そして、このような腹起し１６及びロックボルト１７が、坑道２の周方向に所定の間隔をあけて複数設けられている。
【００２７】
ここで、本実施形態のロックボルト１７は、摩擦定着型のロックボルトであり、図４（ａ）及び図４（ｂ）に示すように、外面１９ａが内側に凹む凹部１９ｂを備えて膨張可能に形成された略円筒状の鋼管１９と、この鋼管１９の中空部１９ｃに充填される例えばベントナイト系材料などの粘土系材料２０を備えて構成されている。このように構成した本実施形態のロックボルト１７は、図４（ａ）に示すように、地山Ｇに穿設した削孔２１に鋼管１９を建て込んだ後に、中空部１９ｃに高圧の水を供給し鋼管１９を拡径するように膨張させて、外面１９ａを削孔内面２１ａに密着させる。これにより、ロックボルト（鋼管１９）１７が地山Ｇに摩擦定着する。また、図４（ｂ）に示すように、中空部１９ｃにベントナイト系材料（粘土系材料２０）のスラリーをグラウトして、中空部１９ｃに粘土系材料２０を充填する。
【００２８】
ついで、上記の構成からなる坑道の支保構造１０を設置する方法を説明するとともに、本実施形態の坑道の支保構造１０の作用及び効果について説明する。
【００２９】
上記の坑道の支保構造１０は、機械掘削及び／又は発破掘削によって坑道２を掘削してゆき、坑道２の側壁部及びアーチ部の掘削面Ｇ１に沿って鋼製支保部材１１を設置し、鋼製支保部材１１と掘削面Ｇ１の隙間Ｈにくさび部材１２を設置する。これにより、くさび部材１２を介して伝わる地山Ｇからの力が鋼製支保部材１１で支えられる。また、これとともに軸線Ｏ１方向に隣り合う鋼製支保部材１１を連結部材１５で連結する。
【００３０】
ついで、ロックボルト１７を設置するための削孔２１を坑道２内側から地山Ｇに向けて穿孔した段階で、図２に示すように、隣り合う鋼製支保部材１１の間に、インバート部側から順次鋼製矢板１３を設置しながら、鋼製矢板１３によって形成される掘削面Ｇとの隙間Ｈ及び鋼製支保部材１１と掘削面Ｇ１との隙間Ｈにベントナイト系材料の充填材１４を充填してゆく。そして、鋼製矢板１３の設置と充填材１４の充填を行なった段階で、隣り合う鋼製支保部材１１を繋ぐように腹起し１６を設置する。さらに、削孔２１内に鋼管１９を建て込んでロックボルト１７を設置し、最後に、坑道２のインバート部に、図１に示す路盤コンクリート（インバートコンクリート）２２を打設する。これにより、本実施形態の坑道の支保構造１０が構築される。
【００３１】
上記のように坑道の支保構造１０の構築を終えた段階から、坑道２内に放射性廃棄物を搬入し、処分を開始する。このとき、地山Ｇから力が作用した場合においても、この力がくさび部材１２を介して鋼製支保部材１１で支持されるため、確実に安定した状態で地山Ｇが支えられている。また、地山Ｇから地下水が坑道２内に侵入しようとする場合においても、坑道の支保構造１０の充填材１４に、地山Ｇから湧出した地下水が接触するとともにベントナイトが膨潤し、透水係数が低下することで地下水の侵入が阻止される。一方、このようにベントナイトが膨潤することによって生じる膨潤圧が、鋼製矢板１３を介して鋼製支保部材１１に伝わり、この膨潤圧が大きい場合には、鋼製支保部材１１を坑道２内側に変形させる可能性がある。しかしながら、本実施形態では、鋼製支保部材１１に作用する膨潤圧が腹起し１６とロックボルト１７を通じて地山Ｇに支持されることになるため、鋼製支保部材１１に変形が生じるようなことがない。これにより、本実施形態の坑道の支保構造１０で地山Ｇを安定した状態で支え、且つ坑道２内への地下水の侵入を阻止した好適な状態で、放射性廃棄物の処分が行なわれる。
【００３２】
そして、放射性廃棄物を所定位置に定置して処分した段階で、図７に示したように、ベントナイト系の緩衝材５を用いて坑道２の埋め戻しを行なう。このとき、インバート部の路盤コンクリート２２を撤去しながら埋め戻しを行なう。これにより、閉鎖後の坑道２は、本実施形態の坑道の支保構造１０にセメント系材料が使用されていないため、路盤コンクリート２２を撤去することによって完全にセメント系材料が残置されることがなく、坑道２の周辺を高アルカリ環境にするおそれがない。また、このようにセメント系材料が残置されないことによって、従来のように緩衝材５がカルシウムイオンや高アルカリ成分に起因して劣化するおそれがなくなり、放射性廃棄物を確実に安定した状態で埋設処分することが可能になる。
【００３３】
さらに、坑道２の閉鎖後に、地山Ｇから地下水が侵入しようとした場合においても、鋼製支保部材１１及び鋼製矢板１３と掘削面Ｇ１との隙間Ｈにベントナイト系材料の充填材１４が充填されているため、すなわち、放射性廃棄物を包む緩衝材５がさらに充填材１４で覆われているため、この充填材１４が地下水に接触するとともに膨潤し、確実に遮水性が確保される。また、放射性廃棄物から有害物質が漏出した場合においても、充填材１４が膨潤して有害物質に対する移行遅延能力が確保されているため、この部分が有害物質の漏出経路になるおそれがない。一方、緩衝材５と充填材１４の間に介在して残置される鋼製支保部材１１や鋼製矢板１３に腐食劣化が生じて、この部分が有害物質の漏出経路になるおそれがあるが、鋼製支保部材１１や鋼製矢板１３の腐食により生じた隙間が充填材１４の膨潤によって埋められるため、やはり有害物質の漏出経路になることがない。
【００３４】
さらに、本実施形態のロックボルト１７においても、鋼管１９に腐食劣化が生じて有害物質の漏出経路になるおそれがあるが、鋼管１９の中空部１９ｃに粘土系材料２０、特にベントナイト系材料が充填されているため、鋼管１９の腐食により生じた隙間がベントナイトの膨潤とともに埋められ、有害物質の漏出経路になることがない。
【００３５】
また、本実施形態のように、インバート部に路盤コンクリート２２を設けた場合においても、緩衝材５の埋め戻し時にこの路盤コンクリート２２を撤去するため、インバート部が有害物質の漏出経路になるおそれもない。
【００３６】
したがって、本実施形態の坑道の支保構造１０によれば、ベントナイト系材料（粘土系材料、充填材１４）を充填することで、鋼製支保部材１１及び鋼製矢板１３と地山Ｇの掘削面Ｇ１の間Ｈの遮水性を高めることができ、地下水を確実に遮断することができる。また、このように鋼製支保部材１１及び鋼製矢板１３を掘削面Ｇ１から離して設けた場合においても、くさび部材（介装部材）１２を介して鋼製支保部材１１で地山Ｇを支えることができる。そして、支保構造１０にセメント系材料を使用していないため、坑道２の周辺が高アルカリ環境になることを防止できる。
【００３７】
また、地下水が接触して膨潤した際に生じる充填材１４の膨潤圧を腹起し１６とロックボルト１７を介して地山Ｇで支持することができる。これにより、充填材１４で遮水性を確保した場合においても、膨潤圧によって鋼製支保部材１１に変形が生じることを確実に防止でき、地山Ｇを確実に安定して支える支保構造１０にすることができる。
【００３８】
さらに、ロックボルト１７が摩擦定着型であるため、すなわちロックボルト１７の定着にセメント系材料を使用していないため、確実に周辺が高アルカリ環境になることを防止できる。
【００３９】
よって、本実施形態の坑道の支保構造１０によれば、廃棄物埋設処分施設Ａの坑道２に適用した場合に、緩衝材５の劣化を防止することができ、且つ充填材１４によって鋼製支保部材１１及び鋼製矢板１３と地山Ｇの掘削面Ｇ１の隙間Ｈ部分が有害物質の漏出経路になることを防止でき、長期にわたって安定した状態で確実に廃棄物を埋設処分することが可能になる。
【００４０】
以上、本発明に係る坑道の支保構造の一実施形態について説明したが、本発明は上記の一実施形態に限定されるものではなく、その趣旨を逸脱しない範囲で適宜変更可能である。例えば、本実施形態では、本発明の坑道の支保構造１０を廃棄物埋設処分施設Ａの処分坑道２の支保構造に用いるものとしたが、本発明の坑道の支保構造１０は、廃棄物埋設処分施設Ａの処分坑道２に限定して用いる必要はなく、緩衝材５で埋め戻して閉鎖することのない坑道２に適用されてもよい。この場合には、坑道の支保構造１０にセメント系材料を用いていないため、周辺地山Ｇが高アルカリ環境になることがなく地山Ｇの変質を防止することができ、且つ地山Ｇからの地下水の侵入を粘土系材料の充填材１４で阻止することができ、安定した坑道空間を形成することが可能である。
【００４１】
また、本実施形態では、充填材１４の膨潤圧を支えるために腹起し１６とロックボルト１７を備えるものとしたが、この膨潤圧によって変形が生じない強度特性を鋼製支保部材１１に付与した場合には、腹起し１６とロックボルト１７を具備する必要はない。
【図面の簡単な説明】
【００４２】
【図１】本発明の一実施形態に係る坑道の支保構造を示す断面図である。
【図２】本発明の一実施形態に係る坑道の支保構造を示す斜視図である。
【図３】図１のＸ−Ｘ線矢視図である。
【図４】本発明の一実施形態に係る坑道の支保構造が具備するロックボルトの断面図である。
【図５】廃棄物埋設処分施設を示す図である。
【図６】従来の廃棄物埋設処分施設の処分坑道の支保構造を示す断面図である。
【図７】従来の廃棄物埋設処分施設の処分坑道に放射性廃棄物を処分した状態を示す坑道軸線方向に沿う断面図である。
【符号の説明】
【００４３】
１      主要坑道
２      処分坑道（坑道）
３      従来の坑道の支保構造
３ａ    吹付けコンクリート
３ｂ    路盤コンクリート（インバートコンクリート）
３ｃ    セメント系定着材を用いたロックボルト
４      廃棄体
５      緩衝材
１０    坑道の支保構造
１１    鋼製支保部材
１２    くさび部材（介装部材）
１３    鋼製矢板
１４    充填材（粘土系材料、ベントナイト系材料）
１５    連結部材
１６    腹起し
１７    ロックボルト
１８    定着板
１９    鋼管
２０    粘土系材料
２１    削孔
２１ａ  孔面
２２    路盤コンクリート（インバートコンクリート）
Ａ      廃棄物埋設処分施設
Ｇ      地山
Ｇ１    掘削面
Ｈ      隙間
Ｏ１    坑道の軸線
Ｔ      有害物質の漏出経路
【図１】
2008127793.tif 000003
【図２】
2008127793.tif 000004
【図３】
2008127793.tif 000005
【図４】
2008127793.tif 000006
【図５】
2008127793.tif 000007
【図６】
2008127793.tif 000008
【図７】
2008127793.tif 000009